(57)【要約】【課題】近接した外部表示機器と通信を行う画像形成装置において、画像形成装置の利用者からの操作を受け付ける画面を外部表示機器まで拡張する。【解決手段】外部表示機器との通信を行う通信手段と、サービス選択画面または設定画面を利用者に表示すると共に、利用者による操作を受け付ける操作表示手段と、主画面情報、副画面情報、選択機能及び外部表示機器の姿勢に応じた主画面と副画面との組合せを予め記憶しておいて、操作表示手段で受け付けた選択機能及び取得された外部表示機器の姿勢に基づいて主画面情報と副画面情報とを取得し、操作表示手段に主画面を表示させると共に、副画面情報を送信して外部表示機器に副画面を表示させる表示制御手段と、を有する画像形成装置とする。【選択図】図５
2016221977.tif 000002
【特許請求の範囲】
【請求項１】
外部表示機器が近接した場合に前記外部表示機器との通信を行う通信手段と、
提供されるサービス一覧を表示するサービス選択画面または設定可能な機能を複数の画面に分けて階層的に表示する設定画面を利用者に表示すると共に、利用者による操作を受け付ける操作表示手段と、
主画面に係る主画面情報、副画面に係る副画面情報、選択機能及び外部表示機器の姿勢に応じた主画面と副画面との組合せを予め記憶しておいて、前記外部表示機器との通信が開始された後に、前記外部表示機器の姿勢情報を取得し、前記操作表示手段で受け付けた選択機能及び取得された前記外部表示機器の姿勢に基づいて、前記操作表示手段に表示する主画面に係る主画面情報と前記外部表示機器に表示する副画面に係る副画面情報とを取得し、前記操作表示手段に前記主画面を表示させると共に、前記副画面情報を送信して前記外部表示機器に前記副画面を表示させる表示制御手段と、
を有する画像形成装置。
【請求項２】
前記表示制御手段が、
前記操作表示手段により利用者の操作を受け付けた場合に、前記主画面を更新する更新主画面情報を取得し、前記操作表示手段に更新主画面を表示させ、
前記操作表示手段により受け付けた操作内容に基づいて前記外部表示機器の表示更新が必要となる場合には、前記副画面を更新する更新副画面情報を取得し、前記通信手段を介して前記更新副画面情報を送信して前記外部表示機器に更新副画面を表示させる、
請求項１に記載の画像形成装置。
【請求項３】
前記表示制御手段が、
前記外部表示機器により利用者の操作を受け付けた旨が前記通信手段を介して通知された場合に、前記副画面を更新する更新副画面情報を取得し、前記通信手段を介して前記更新副画面情報を送信して前記外部表示機器に更新副画面を表示させ、
前記外部表示機器により受け付けた操作内容に基づいて前記操作表示手段の表示更新が必要となる場合には、前記主画面を更新する更新主画面情報を取得し、前記操作表示手段に更新主画面を表示させる、
請求項１または請求項２に記載の画像形成装置。
【請求項４】
請求項１から請求項３までのいずれか１項に記載の画像形成装置と、
通信機能を備えた外部表示機器と、
を有する画像形成システム。
【請求項５】
画像形成装置の操作表示手段を制御する制御プログラムであって、
コンピュータを、
外部表示機器が近接した場合に前記外部表示機器との間で情報を授受する手段、
操作表示部に、画像形成装置により提供されるサービス一覧を表示するサービス選択画面または設定可能な機能を複数の画面に分けて階層的に表示する設定画面を表示する手段、
操作表示部への利用者の操作を受け付ける手段、
主画面に係る主画面情報、副画面に係る副画面情報、選択機能及び外部表示機器の姿勢に応じた主画面と副画面との組合せを予め記憶しておいて、前記外部表示機器との情報の授受が開始された後に、前記外部表示機器の姿勢情報を取得し、前記操作表示手段で受け付けた選択機能及び取得された前記外部表示機器の姿勢に基づいて、前記操作表示手段に表示する主画面に係る主画面情報と前記外部表示機器に表示する副画面に係る副画面情報とを取得する手段、
前記操作表示手段に前記主画面を表示させると共に、前記副画面情報を送信して前記外部表示機器に前記副画面を表示させる手段、
として機能させるプログラム。
【請求項６】
前記操作表示手段により利用者の操作を受け付けた場合に、前記主画面を更新する更新主画面情報を取得し、前記操作表示手段に更新主画面を表示させ、前記操作表示手段により受け付けた操作内容に基づいて前記外部表示機器の表示更新が必要となる場合には、前記副画面を更新する更新副画面情報を取得し、前記更新副画面情報を送信して前記外部表示機器に更新副画面を表示させる、
請求項５に記載のプログラム。
【請求項７】
前記外部表示機器により利用者の操作を受け付けた旨が通知された場合に、前記副画面を更新する更新副画面情報を取得し、前記更新副画面情報を送信して前記外部表示機器に更新副画面を表示させ、前記外部表示機器により受け付けた操作内容に基づいて前記操作表示手段の表示更新が必要となる場合には、前記主画面を更新する更新主画面情報を取得し、前記操作表示手段に更新主画面を表示させる、
請求項５または請求項６に記載のプログラム。
【発明の詳細な説明】
【技術分野】
【０００１】
本発明は、画像形成装置、画像形成システム及びプログラムに関する。
【背景技術】
【０００２】
特許文献１には、携帯端末と通信する通信手段を有する画像形成装置であって、携帯端末に表示されている表示内容に対応する情報を通信手段を介して取得する取得手段と、取得手段で取得した情報に基づき、携帯端末に表示すべき画面を指示する情報を、通信手段を介して携帯端末に送信する送信手段と、を備えることを特徴とする画像形成装置が開示されている。
【先行技術文献】
【特許文献】
【０００３】
【特許文献１】特開２００７−７９６３９号公報
【発明の概要】
【発明が解決しようとする課題】
【０００４】
本発明の目的は、近接した外部表示機器と通信を行う画像形成装置において、画像形成装置の利用者からの操作を受け付ける画面が外部表示機器まで拡張された画像形成装置、画像形成システム及びプログラムを提供することにある。
【課題を解決するための手段】
【０００５】
上記目的を達成するために請求項１に記載の発明は、外部表示機器が近接した場合に前記外部表示機器との通信を行う通信手段と、提供されるサービス一覧を表示するサービス選択画面または設定可能な機能を複数の画面に分けて階層的に表示する設定画面を利用者に表示すると共に、利用者による操作を受け付ける操作表示手段と、主画面に係る主画面情報、副画面に係る副画面情報、選択機能及び外部表示機器の姿勢に応じた主画面と副画面との組合せを予め記憶しておいて、前記外部表示機器との通信が開始された後に、前記外部表示機器の姿勢情報を取得し、前記操作表示手段で受け付けた選択機能及び取得された前記外部表示機器の姿勢に基づいて、前記操作表示手段に表示する主画面に係る主画面情報と前記外部表示機器に表示する副画面に係る副画面情報とを取得し、前記操作表示手段に前記主画面を表示させると共に、前記副画面情報を送信して前記外部表示機器に前記副画面を表示させる表示制御手段と、を有する画像形成装置である。
【０００６】
請求項２に記載の発明は、前記表示制御手段が、前記操作表示手段により利用者の操作を受け付けた場合に、前記主画面を更新する更新主画面情報を取得し、前記操作表示手段に更新主画面を表示させ、前記操作表示手段により受け付けた操作内容に基づいて前記外部表示機器の表示更新が必要となる場合には、前記副画面を更新する更新副画面情報を取得し、前記通信手段を介して前記更新副画面情報を送信して前記外部表示機器に更新副画面を表示させる、請求項１に記載の画像形成装置である。
【０００７】
請求項３に記載の発明は、前記表示制御手段が、前記外部表示機器により利用者の操作を受け付けた旨が前記通信手段を介して通知された場合に、前記副画面を更新する更新副画面情報を取得し、前記通信手段を介して前記更新副画面情報を送信して前記外部表示機器に更新副画面を表示させ、前記外部表示機器により受け付けた操作内容に基づいて前記操作表示手段の表示更新が必要となる場合には、前記主画面を更新する更新主画面情報を取得し、前記操作表示手段に更新主画面を表示させる、請求項１または請求項２に記載の画像形成装置である。
【０００８】
請求項４に記載の発明は、請求項１から請求項３までのいずれか１項に記載の画像形成装置と、通信機能を備えた外部表示機器と、を有する画像形成システムである。
【０００９】
請求項５に記載の発明は、画像形成装置の操作表示手段を制御する制御プログラムであって、コンピュータを、外部表示機器が近接した場合に前記外部表示機器との間で情報を授受する手段、操作表示部に、画像形成装置により提供されるサービス一覧を表示するサービス選択画面または設定可能な機能を複数の画面に分けて階層的に表示する設定画面を表示する手段、操作表示部への利用者の操作を受け付ける手段、主画面に係る主画面情報、副画面に係る副画面情報、選択機能及び外部表示機器の姿勢に応じた主画面と副画面との組合せを予め記憶しておいて、前記外部表示機器との情報の授受が開始された後に、前記外部表示機器の姿勢情報を取得し、前記操作表示手段で受け付けた選択機能及び取得された前記外部表示機器の姿勢に基づいて、前記操作表示手段に表示する主画面に係る主画面情報と前記外部表示機器に表示する副画面に係る副画面情報とを取得する手段、前記操作表示手段に前記主画面を表示させると共に、前記副画面情報を送信して前記外部表示機器に前記副画面を表示させる手段、として機能させるプログラムである。
【００１０】
請求項６に記載の発明は、前記操作表示手段により利用者の操作を受け付けた場合に、前記主画面を更新する更新主画面情報を取得し、前記操作表示手段に更新主画面を表示させ、前記操作表示手段により受け付けた操作内容に基づいて前記外部表示機器の表示更新が必要となる場合には、前記副画面を更新する更新副画面情報を取得し、前記更新副画面情報を送信して前記外部表示機器に更新副画面を表示させる、請求項５に記載のプログラムである。
【００１１】
請求項７に記載の発明は、前記外部表示機器により利用者の操作を受け付けた旨が通知された場合に、前記副画面を更新する更新副画面情報を取得し、前記更新副画面情報を送信して前記外部表示機器に更新副画面を表示させ、前記外部表示機器により受け付けた操作内容に基づいて前記操作表示手段の表示更新が必要となる場合には、前記主画面を更新する更新主画面情報を取得し、前記操作表示手段に更新主画面を表示させる、請求項５または請求項６に記載のプログラムである。
【発明の効果】
【００１２】
請求項１、４、５に記載の発明によれば、近接した外部表示機器と通信を行う画像形成装置において、外部表示機器の姿勢に応じた表示方法で、画像形成装置の利用者からの操作を受け付ける画面が外部表示機器まで拡張される。
【００１３】
請求項２、６に記載の発明によれば、画像形成装置に表示される主画面の更新に連動して、外部表示機器に表示される副画面が更新される。
【００１４】
請求項３、７に記載の発明によれば、外部表示機器に表示される副画面の更新に連動して、画像形成装置に表示される主画面が更新される。
【図面の簡単な説明】
【００１５】
【図１】本発明の実施の形態に係る画像形成システムの構成を示す概略図である。
【図２】本発明の実施の形態に係る画像形成装置の構成の一例を示すブロック図である。
【図３】本発明の実施の形態に係る操作表示部の構成の一例を示すブロック図である。
【図４】本発明の実施の形態に係る外部表示機器の構成の一例を示すブロック図である。
【図５】外部表示機器の操作パネルと画像形成装置の操作パネルの配置の一例を示す平面図である。
【図６】外部表示機器の操作パネルと画像形成装置の操作パネルの配置の他の一例を示す平面図である。
【図７】接続確立から画面表示までの動作の一例を示すシーケンスである。
【図８】外部表示機器の近接検知前に表示される画面の一例を示す模式図である。（Ａ）は主画面を示し、（Ｂ）は副画面を示す。
【図９】近接検知後に表示される画面の一例を示す模式図である。（Ａ）は主画面を示し、（Ｂ）は副画面を示す。
【図１０】表示情報に従って表示される画面の一例を示す模式図である。（Ａ）は主画面を示し、（Ｂ）は副画面を示す。
【図１１】表示情報に従って表示される画面の他の一例を示す模式図である。（Ａ）は主画面を示し、（Ｂ）は副画面を示す。
【図１２】画像形成装置側での操作に連動した外部表示機器側での表示更新動作の一例を示すシーケンスである。
【図１３】外部表示機器側での操作に連動した画像形成装置側での表示更新動作の一例を示すシーケンスである。
【図１４】画像形成装置側で操作が行われる様子を示す模式図である。（Ａ）は操作前の主画面を示し、（Ｂ）は操作前の副画面を示し、（Ｃ）は操作時の主画面を示す。
【図１５】表示更新が行われた後に外部表示機器側で操作が行われる様子を示す模式図である。（Ａ）は表示更新後の主画面を示し、（Ｂ）は表示更新後の副画面を示し、（Ｃ）は操作時の副画面を示す。
【図１６】表示更新後に表示される画面の一例を示す模式図である。（Ａ）は表示更新後の主画面を示し、（Ｂ）は表示更新後の副画面を示す。
【図１７】表示画面の変形例を示す模式図である。（Ａ）は主画面を示し、（Ｂ）は副画面を示す。
【図１８】表示画面の変形例を示す模式図である。（Ａ）は主画面を示し、（Ｂ）は副画面を示す。
【図１９】表示画面の変形例を示す模式図である。（Ａ）は主画面を示し、（Ｂ）は副画面を示す。
【図２０】表示画面の変形例を示す模式図である。（Ａ）は主画面を示し、（Ｂ）は副画面を示し、（Ｃ）は副画面が表示されない場合の画面を示す。
【発明を実施するための形態】
【００１６】
以下、図面を参照して本発明の実施の形態の一例を詳細に説明する。
【００１７】
＜画像形成システム＞
まず、本発明の実施の形態に係る画像形成システムについて説明する。
図１に示すように、本実施の形態に係る画像形成システムは、画像形成装置１０と、画像形成装置１０の外部に配置される外部表示機器１００と、を含んで構成されている。画像形成装置１０は、予め定めた距離範囲に在る（以下、「近接した」という）外部表示機器１００を検知し、検知された外部表示機器１００との無線接続を確立し、接続された外部表示機器１００との間で無線通信により情報の授受を行う。無線通信は、Bluetooth（登録商標）等の短距離型の無線通信方法により行ってもよい。
【００１８】
外部表示機器１００は、後述する通り、利用者からの操作を受け付けると共に、利用者に各種情報を表示する操作パネルを有する端末装置である。外部表示機器１００では、操作パネルは主にタッチパネルで構成されている。本実施の形態では、外部表示機器１００のタッチパネルは、一般の携帯電話のタッチパネルよりも表示面積が大きい。外部表示機器１００のタッチパネルは、画像形成装置１０のタッチパネルと略同じ大きさ（表示面積）であってもよい。外部表示機器１００としては、例えば、iPad（登録商標）等のタブレット端末を用いてもよい。外部表示機器１００の詳細な構成については後述する。
【００１９】
画像形成装置１０は、複数のサービス処理を提供する複合機である。本実施の形態では、少なくとも複写処理、印刷処理、画像読取処理、及びファクシミリ処理を含む複数のサービス処理を提供する。なお、以下では、複写を「コピー」、印刷を「プリント」、画像読取を「スキャナー」、ファクシミリを「ファクス」と言い換える場合がある。コピー処理を「コピー」と略称する等、サービス処理を「サービス」と略称する場合がある。画像形成装置１０の詳細な構成については次に説明する。
【００２０】
（画像形成装置の全体構成）
次に、画像形成装置１０の構成について説明する。
図２は本発明の実施の形態に係る画像形成装置の構成の一例を示すブロック図である。図２に示すように、画像形成装置１０は、制御部１２、操作表示部１４、画像読取部１６、画像形成部１８、用紙搬送部２０、通信部２２、及び記憶部２４を備えている。なお、画像形成装置１０の構成は一例であり、不要な機能部を削除したり、新たな機能部を追加したり、各部の構成、配置を変更してもよい。
【００２１】
制御部１２は、装置全体の制御及び各種演算を行うコンピュータとして構成されている。即ち、制御部１２は、ＣＰＵ（中央処理装置;  Central Processing Unit）１２Ａ、各種プログラムを記憶したＲＯＭ（Read Only Memory）１２Ｂ、プログラムの実行時にワークエリアとして使用されるＲＡＭ（Random Access Memory）１２Ｃ、各種情報を記憶する不揮発性メモリ１２Ｄ、及び入出力インターフェース（Ｉ／Ｏ）１２Ｅを備えている。ＣＰＵ１２Ａ、ＲＯＭ１２Ｂ、ＲＡＭ１２Ｃ、不揮発性メモリ１２Ｄ、及びＩ／Ｏ１２Ｅの各々は、バス１２Ｆを介して接続されている。
【００２２】
操作表示部１４、画像読取部１６、画像形成部１８、用紙搬送部２０、通信部２２、及び記憶部２４の各部は、制御部１２のＩ／Ｏ１２Ｅに接続されている。制御部１２は、操作表示部１４、画像読取部１６、画像形成部１８、用紙搬送部２０、通信部２２、及び記憶部２４の各部との間で情報の授受を行い、各部を制御する。
【００２３】
操作表示部１４は、各種ボタン、各種画面を表示する操作パネル等を含んで構成されている。操作表示部１４は、上記構成により、利用者からの操作を受け付けると共に、利用者に各種情報を表示する。なお、操作表示部１４の詳細な構成については後述する。
【００２４】
画像読取部１６は、イメージセンサ等、用紙上に形成された画像を光学的に読み取る画像読み取り装置、用紙を走査するための走査機構等を含んで構成されている。画像読取部１６は、上記構成により、画像読取部１６に置かれた原稿用紙の画像を読み取り、画像情報を生成する。
【００２５】
画像形成部１８は、用紙上に画像を形成する装置である。例えば、電子写真方式により画像を形成する場合は、画像形成部１８は、画像形成ユニット、定着装置等を含んで構成されている。画像形成ユニットは、感光体ドラム、帯電装置、露光装置、現像装置、転写装置、クリーニング装置等を含んで構成されている。
【００２６】
ここで、電子写真方式による画像形成動作について簡単に説明する。感光体ドラムが、帯電装置により帯電される。露光装置は、帯電された感光体ドラム上を画像に応じた光で露光する。これにより、感光体ドラム上に画像に応じた静電潜像が形成される。現像装置は、感光体ドラム上に形成された静電潜像をトナーにより現像する。転写装置は、感光体ドラム上に形成されたトナー像を用紙に転写する。定着装置は、用紙上に転写されたトナー像を定着させる。
【００２７】
用紙搬送部２０は、用紙が収容される用紙収容部、用紙収容部から用紙を取り出す取出ローラ、取り出された用紙を搬送する搬送ローラ等を含んで構成されている。用紙搬送部２０は、上記構成により、用紙収容部から取り出した用紙を搬送し、画像形成部１８に供給する。また、画像形成部１８で画像が形成された用紙を、用紙排出部へと搬送する。
【００２８】
通信部２２は、有線又は無線の通信回線を介して外部装置と通信を行うためのインターフェースである。例えば、ＬＡＮ（Local Area Network）、インターネット等のネットワークに接続されたコンピュータ等の外部装置と通信を行うためのインターフェースとして機能する。本実施の形態では、通信部２２を介して外部表示機器１００との間で無線通信を行う。
【００２９】
例えば、通信部２２は、外部表示機器１００から外部表示機器１００の姿勢を表す姿勢情報を取得する。また、通信部２２は、外部表示機器１００に対し外部表示機器１００に表示する画面情報を送信する。また、通信部２２は、コンピュータ等の外部装置から、画像情報、画像形成に要する画像形成情報、アプリケーション・プログラム等の各種プログラムを取得してもよい。
【００３０】
記憶部２４は、ハードディスク等の記憶装置を備えている。記憶部２４には、ログデータ等の各種データ、各種プログラム等が記憶される。
【００３１】
なお、制御部１２には、各種ドライブが接続されていてもよい。各種ドライブは、フレキシブルディスク、光磁気ディスク、ＣＤ−ＲＯＭ、ＵＳＢ（Universal Serial Bus)メモリなどのコンピュータ読み取り可能な可搬性の記録媒体からデータを読み込んだり、記録媒体に対してデータを書き込んだりする装置である。各種ドライブを備える場合には、可搬性の記録媒体にプログラムを記録しておいて、これを対応するドライブで読み込んで実行してもよい。
【００３２】
（操作表示部の構成）
次に、操作表示部１４の構成について説明する。
図３は本発明の実施の形態に係る操作表示部の構成の一例を示すブロック図である。図３に示すように、操作表示部１４は、表示制御部３０、操作パネル４０、表示生成部４２、入力受付部４４、及び記憶部４６を備えている。また、操作表示部１４は、図２を参照して説明した通り、Ｉ／Ｏ１２Ｅを介して画像形成装置１０の制御部１２及び通信部２２に接続されている。なお、操作表示部１４の構成は一例であり、不要な機能部を削除したり、新たな機能部を追加したり、各部の構成、配置を変更してもよい。
【００３３】
表示制御部３０は、操作表示部１４全体の制御及び各種演算を行うコンピュータとして構成されている。即ち、表示制御部３０は、ＣＰＵ３２、ＲＯＭ３４、及びＲＡＭ３６を備えている。本実施の形態では、後述する「表示制御処理」等を実行するための制御プログラムは、ＲＯＭ３４に記憶されている。ＣＰＵ３２は、記憶されたプログラムをＲＯＭ３４から読み出し、ＲＡＭ３６をワークエリアとして使用して、プログラムを実行する。なお、表示制御部３０は、制御部１２と同様に、通信部２２や各種ドライブを介してプログラムを取得してもよい。
【００３４】
表示制御部３０のＣＰＵ３２、ＲＯＭ３４及びＲＡＭ３６の各々、表示生成部４２、入力受付部４４、及び記憶部４６の各部は、バス４８を介して互いに接続されている。表示制御部３０は、表示生成部４２、入力受付部４４、及び記憶部４６の各部との間で情報の授受を行い、これら各部を制御する。
【００３５】
操作パネル４０は、各種画面を表示するための液晶ディスプレイを含むタッチパネル６０、スタートボタンやテンキー等の各種ボタン７０等を含んで構成されている（図５及び図６を参照）。操作パネル４０は、表示生成部４２及び入力受付部４４の各々に接続されている。操作パネル４０の詳細な構成については後述する。
【００３６】
表示生成部４２は、表示制御部３０からの指示に基づいて画面データを取得し、取得された画面データに応じた画面を操作パネル４０に表示する。なお、画面データは、記憶部４６に格納されている。入力受付部４４は、操作パネル４０上で利用者の操作を受け付けて、設定機能、設定値、押下されたボタン等を特定し、表示制御部３０に通知する。
【００３７】
ここで、表示制御部３０は、サービス処理の開始指示を受け付けた場合には、画像形成装置１０の制御部１２にサービス処理の実行を指示する。制御部１２は、サービス処理の内容に応じて、画像読取部１６、画像形成部１８、用紙搬送部２０、通信部２２、及び記憶部２４の各部を制御して、サービス処理を実行させる。
【００３８】
記憶部４６には、各種データ等が記憶される。本実施の形態では、記憶部４６には、画像形成装置用の画面データ５０、外部表示機器用の画面データ５２、組合せテーブル５４、及び制御用データ５６が格納されている。画像形成装置用の画面データ５０は、操作パネル４０に表示される各種画面に応じたデータである。操作パネル４０には、提供されるサービス一覧を表示するサービス選択画面、設定可能な機能を複数の画面に分けて階層的に表示する設定画面等が「主画面」として表示される。
【００３９】
外部表示機器用の画面データ５２は、外部表示機器１００に表示される各種画面に応じたデータである。画像形成装置１０に接続された外部表示機器１００には、上記のサービス選択画面や設定画面等が副画面として表示される。
【００４０】
組合せテーブル５４は、選択機能及び外部表示機器の姿勢に応じて「主画面と副画面との組合せ」を規定するテーブルである。組合せテーブル５４に基づいて、選択機能及び外部表示機器の姿勢から、主画面と副画面との組合せが決定される。即ち、どの「主画面」とどの「副画面」とを表示するかが決定される。また、後述する通り、外部表示機器の姿勢（横向き・縦向き）に対応して、異なる組合せが用意されていてもよい。
【００４１】
制御用データ５６は、表示制御部３０が表示制御処理を実行する際に使用する各種データである。各種データは、設定値、テーブル、グラフ等で表されていてもよい。制御用データ５６としては、設定値を初期化する際に使用される「各機能の初期値」等が挙げられる。
【００４２】
（外部表示機器）
次に、外部表示機器１００の構成について説明する。
図４は本発明の実施の形態に係る外部表示機器の構成の一例を示すブロック図である。図４に示すように、外部表示機器１００は、制御部１１０、通信部１２０、姿勢検知部１３０、操作パネル１４０、表示生成部１４２、入力受付部１４４、及び記憶部１５０を備えている。なお、外部表示機器１００の構成は一例であり、不要な機能部を削除したり、新たな機能部を追加したり、各部の構成、配置を変更してもよい。
【００４３】
制御部１１０は、外部表示機器１００全体の制御及び各種演算を行うコンピュータとして構成されている。即ち、制御部１１０は、ＣＰＵ１１２、ＲＯＭ１１４、及びＲＡＭ１１６を備えている。本実施の形態では、後述する「表示制御処理」等を実行するための制御プログラムは、ＲＯＭ１１４に記憶されている。ＣＰＵ１１２は、記憶されたプログラムをＲＯＭ１１４から読み出し、ＲＡＭ１１６をワークエリアとして使用して、プログラムを実行する。なお、制御部１１０は、制御部１２と同様に、他の記憶装置からプログラムを取得してもよく、通信部１２０を介してプログラムを取得してもよい。
【００４４】
制御部１１０のＣＰＵ１１２、ＲＯＭ１１４、及びＲＡＭ１１６の各々、表示生成部１４２、入力受付部１４４、及び記憶部１５０の各部は、バス１６０を介して互いに接続されている。制御部１１０は、通信部１２０、姿勢検知部１３０、表示生成部１４２、入力受付部１４４、及び記憶部１５０の各部との間で情報の授受を行い、これら各部を制御する。
【００４５】
姿勢検知部１３０は、加速度センサ等で構成されて、外部表示機器１００の姿勢を検知する。ここで「姿勢」とは、外部表示機器１００の向きを意味する。具体的には、外部表示機器１００の長さ方向が重力方向と略直交である場合を「横向き」とし、外部表示機器１００の長さ方向が重力方向と略並行で且つ外部表示機器１００の上下方向が正位置（上下の向きが正しい状態）である場合を「縦向き」とする。後述するボタン１４６が配置されている位置が下側である。なお、「略直交」とは平行よりも直交に近い場合を意味し、「略並行」とは直交よりも平行に近い場合を意味する。
【００４６】
操作パネル１４０は、各種画面を表示するための液晶ディスプレイを含むタッチパネル１４８、ボタン１４６を含んで構成されている（図５及び図６を参照）。操作パネル１４０は、表示生成部１４２及び入力受付部１４４の各々に接続されている。
【００４７】
表示生成部１４２は、制御部１１０からの指示に基づいて画面データを取得し、取得された画面データに応じた画面を操作パネル１４０に表示する。なお、外部表示機器１００に固有の画面データは、記憶部１５０に格納されている。入力受付部１４４は、操作パネル１４０上で利用者の操作を受け付けて、設定機能、設定値、押下されたボタン等を特定し、制御部１１０に通知する。
【００４８】
記憶部１５０には、各種データ等が記憶される。本実施の形態では、記憶部１５０には、外部表示機器に固有の画面データ１５２及び制御用データ１５４が格納されている。外部表示機器に固有の画面データ１５２は、操作パネル１４０に表示される各種画面に応じたデータである。画像形成装置１０に接続された場合には、画像形成装置１０の設定画面等を操作パネル１４０に表示するために、「外部表示機器用の画面データ」が画像形成装置１０から通信により取得される。
【００４９】
制御用データ１５４は、制御部１１０が表示制御処理を実行する際に使用する各種データである。各種データは、設定値、テーブル、グラフ等で表されていてもよい。制御用データ１５４としては、設定値を初期化する際に使用される「各機能の初期値」等が挙げられる。
【００５０】
（操作パネル）
ここで、図５及び図６を参照して操作パネルの構成の一例を具体的に説明する。図５は外部表示機器の操作パネル１４０と画像形成装置の操作パネル４０の配置の一例を示す平面図である。画像形成装置の操作パネル４０は、画像形成装置１０本体の上面等、利用者が操作し易い位置に配置されている。外部表示機器１００は、画像形成装置１０に近接して配置されている。また、外部表示機器１００は、操作パネル１４０と操作パネル４０とが並ぶように「横向き」で配置されている。
【００５１】
画像形成装置１０の操作パネル４０は、タッチパネル６０及びボタン群７０を有している。ボタン群７０の各ボタンは、タッチパネル６０の周囲に配置されている。タッチパネル６０は、液晶ディスプレイとしての機能も有している。液晶ディスプレイの機能により、タッチパネル６０上に設定画面等の画面が表示される。利用者がタッチパネル６０に表示された画像（ボタン）に接触すると、接触が検知された領域の位置情報等から画像に対応する機能等が特定される。
【００５２】
ボタン群７０は、テンキー７２、スタートボタン７４、リセットボタン７６、クリアボタン７８等を有している。テンキー７２は、コピー等の部数の設定等、利用者が数字を設定するために用いられる。スタートボタン７４は、各サービスの実行を開始させるために用いられる。リセットボタン７６は、サービスの選択、各機能の設定値をリセットするために用いられる。クリアボタン７８は、各機能の設定値をクリアするために用いられる。なお、操作パネル４０の構成は一例であり、不要なボタンを削除したり、新たなボタンを追加したり、各部の構成、配置を変更してもよい。
【００５３】
外部表示機器１００の操作パネル１４０は、タッチパネル１４８及びボタン１４６を有している。ボタン１４６は、オンオフ等を行うボタンである。上記の通り、操作パネル１４０は主にタッチパネル１４８で構成されている。タッチパネル１４８の機能は、タッチパネル６０と同様であるため説明を省略する。この例では、操作パネル１４０のタッチパネル１４８は、画像形成装置１０のタッチパネル６０と略同じ大きさである。図５に示す例では、タッチパネル１４８とタッチパネル６０とが上下に並んでいる。
【００５４】
外部表示機器１００が画像形成装置１０に接続された場合には、画像形成装置の利用者からの操作を受け付ける画面（以下、「画像形成装置の操作画面」という。）が、主画面と副画面とに分けて表示される。画像形成装置１０のタッチパネル６０に主画面が表示され、外部表示機器１００のタッチパネル１４８に副画面が表示される。換言すれば、画像形成装置の操作画面を表示する表示領域は、外部表示機器１００のタッチパネル１４８にまで拡張される。
【００５５】
表示領域が拡張されると、一覧表示される画面数や機能数が増加する。例えば、主画面に上位階層画面を表示し、副画面に下位階層画面を表示してもよい。また、主画面と副画面とに異なる並列階層画面を表示してもよい。この結果、設定操作中に画面を切り替える回数が減少し、設定内容が確認し易くなる。例えば、機能間でのコンフリクトにより自動調整がされたか否か等も確認し易くなる。
【００５６】
上記では、外部表示機器１００を横向きに配置する例について説明したが、図６に示すように、外部表示機器１００を縦向きに配置してもよい。図６に示す例では、外部表示機器１００は、画像形成装置１０に近接して配置されている。また、外部表示機器１００は、操作パネル１４０が操作パネル４０に重なるように「縦向き」で配置されている。図６に示す例では、タッチパネル１４８とタッチパネル６０とが左右に並んでいる。
【００５７】
＜表示制御処理＞
次に、画像システムで実行される「表示制御処理動作」について説明する。
【００５８】
（接続確立から画面表示まで）
まず、接続確立から画面表示までの動作について説明する。
図７は接続確立から画面表示までの動作の一例を示すシーケンスである。ここでは、「外部表示機器」の動作は、プログラムとして取得されており、外部表示機器１００の制御部１１０のＣＰＵ１１２により実行される。「画像形成装置」の動作は、プログラムとして取得されており、操作表示部１４の表示制御部３０のＣＰＵ３２により実行される。「情報生成部」は、表示制御部３０の「情報生成処理」を実行する機能部である。「情報生成部」の動作は、プログラムのサブルーチンとして取得されており、ＣＰＵ３２により実行される。なお、画像形成装置１０と外部表示機器１００との間の通信は、通信部２２及び通信部１２０を介して行われる。
【００５９】
図８（Ａ）及び（Ｂ）は外部表示機器の近接検知前に表示される画面の一例を示す模式図である。図９（Ａ）及び（Ｂ）は近接検知後に表示される画面の一例を示す模式図である。図１０（Ａ）及び（Ｂ）は表示情報に従って表示される画面の一例を示す模式図である。図１１（Ａ）及び（Ｂ）は表示情報に従って表示される画面の他の一例を示す模式図である。
【００６０】
図７に示すように、画像形成装置は、ステップ１００で、利用者の操作に応じて操作パネルに画面を表示する。例えば、図８（Ａ）に示すように、画像形成装置のタッチパネルには、従来と同様の設定画面を「主画面」として表示する。また、図８（Ｂ）に示すように、外部表示機器のタッチパネルには、画像形成装置への近接を促す旨を報知する報知画面を「副画面」として表示する。
【００６１】
次のステップ１０２で、近接した外部表示機器を検知する。次のステップ１０４で、無線接続を要求する信号を外部表示機器に送信する。外部表示機器は、ステップ２００で、画像形成装置からの無線接続の要求に応答する。これにより、無線接続が確立する。次に、画像形成装置は、ステップ１０６で、姿勢情報を要求する信号を外部表示機器に送信する。外部表示機器は、ステップ２０２で、画像形成装置からの要求に応じて、姿勢情報を送信する。
【００６２】
例えば、図９（Ａ）に示すように、画像形成装置のタッチパネルには、検知された外部表示機器と通信中である旨を報知する報知画面を「主画面」として表示する。また、図９（Ｂ）に示すように、外部表示機器のタッチパネルには、画像形成装置から表示情報を取得している旨を報知する報知画面を「副画面」として表示する。
【００６３】
次に、画像形成装置は、ステップ１０８で、姿勢情報に応じた表示情報の生成を情報生成部に指示する。次に、情報生成部は、ステップ１１０で、表示情報を生成する「情報生成処理」を実行する。「情報生成処理」では、記憶部４６に格納された組合せテーブル５４に基づいて、画像形成装置用の画面データ５０から主画面に係る画面データを特定し、外部表示機器用の画面データ５２から副画面に係る画面データを特定する（図３参照）。次に、画像形成装置は、ステップ１１２で、主画面に係る画面データと副画面に係る画面データとを「表示情報」として取得する。
【００６４】
次に、画像形成装置は、ステップ１１４で、表示情報を外部表示機器に送信する。外部表示機器は、ステップ２０４で、画像形成装置から表示情報を受信した旨を通知する。通知を受け取ると、画像形成装置は、ステップ１１６で、取得した表示情報に従いタッチパネルに主画面を表示する。同様に、外部表示機器も、ステップ２０６で、取得した表示情報に従いタッチパネルに副画面を表示する。
【００６５】
例えば、図１０（Ａ）に示すように、画像形成装置のタッチパネルには、複数の機能を表示する設定画面の一部を「主画面」として表示する。また、図１０（Ｂ）に示すように、外部表示機器のタッチパネルには、前記設定画面の他の一部を「副画面」として表示する。この例では、外部表示機器の姿勢は「縦向き」である。
【００６６】
従来の画像形成装置では、タッチパネルにはタブ１に対応する画面が表示される（図１１（Ａ）参照）。タブ１に対応する画面には、機能１〜５が表示され、機能４、５は圧縮表示されている。本実施の形態では、画像形成装置の操作画面を表示する表示領域が、外部表示機器のタッチパネルにまで拡張されて、一覧表示される機能数が増加する。画像形成装置のタッチパネルには、タブ１に対応して機能１から機能４を表示する主画面が表示される。また、外部表示機器のタッチパネルには、タブ１に対応して機能５から機能１０を表示する副画面が表示される。また、外部表示機器を縦向きに配置したことで、圧縮表示されていた縮能４、５が縦方向に伸張されて表示される。
【００６７】
上記では１つの設定画面を主画面及び副画面に分けて表示する例について説明したが、主画面と副画面との関係は任意に設定してもよい。例えば、図１１（Ａ）に示すように、画像形成装置のタッチパネルには、特定の並列階層画面を「主画面」として表示する。また、図１１（Ｂ）に示すように、外部表示機器のタッチパネルには、他の並列階層画面を「副画面」として表示する。この例では、外部表示機器の姿勢は「横向き」である。
【００６８】
従来の画像形成装置では、タッチパネルにはタブ１に対応する画面が表示される（図１１（Ａ）参照）。本実施の形態では、外部表示機器を横向きに近接配置したことで、画像形成装置の操作画面を表示する表示領域が拡張されて、一覧表示される画面数が増加する。例えば、画像形成装置のタッチパネルには、タブ１に対応する画面が主画面として表示される。また、外部表示機器のタッチパネルには、タブ２に対応する画面が副画面として表示される。
【００６９】
（表示更新）
次に、表示更新動作について説明する。
図１２は画像形成装置側での操作に連動した外部表示機器側での表示更新動作の一例を示すシーケンスである。また、図１３は外部表示機器側での操作に連動した画像形成装置側での表示更新動作の一例を示すシーケンスである。図７に示す例と同様に、「外部表示機器」の動作はＣＰＵ１１２により実行され、「画像形成装置」及び「情報生成部」の動作はＣＰＵ３２により実行される。通信についても図７に示す例と同様である。
【００７０】
図１４（Ａ）及び（Ｂ）は画像形成装置側で操作が行われる様子を示す模式図である。図１５（Ａ）及び（Ｂ）は表示更新が行われた後に外部表示機器側で操作が行われる様子を示す模式図である。図１６（Ａ）及び（Ｂ）は表示更新後に表示される画面の一例を示す模式図である。
【００７１】
（外部表示機器側での表示更新）
図１２に示すように、画像形成装置は、ステップ３００で、情報生成部から取得した表示情報に従いタッチパネルに主画面を表示する。同様に、外部表示機器も、ステップ４００で、情報生成部から取得した取得した表示情報に従いタッチパネルに副画面を表示する。画像形成装置は、次のステップ３０２で、パネル操作を検知する。即ち、利用者からの操作を受け付ける。
【００７２】
次のステップ３０４で、情報生成部に副画面の更新要否を判定するように要求する。次に、情報生成部は、ステップ３０６で、副画面の更新要否を判定する。「更新要否の判定」では、画像形成装置側でのパネル操作に応じて、外部表示機器のタッチパネルに表示する画面を更新する必要があるか否かを判定する。記憶部４６に格納された組合せテーブル５４に基づいて、選択機能、姿勢情報等から別の画面を表示する場合か否かが判定される。
【００７３】
次のステップ３０８で、判定結果に応じて表示情報を生成する。組合せテーブル５４に基づいて、画像形成装置用の画面データ５０から主画面に係る画面データを特定し、外部表示機器用の画面データ５２から副画面に係る画面データを特定して、表示情報を生成する（図３参照）。次に、画像形成装置は、ステップ３１０で、主画面に係る画面データと副画面に係る画面データとを「表示情報」として取得する。
【００７４】
次に、画像形成装置は、ステップ３１２で、更新要求と共に表示情報を外部表示機器に送信する。外部表示機器は、ステップ４０２で、画像形成装置から更新要求及び表示情報を受信した旨を通知する。通知を受け取ると、画像形成装置は、ステップ３１４で、取得した表示情報に従いタッチパネルに表示された主画面を更新する。外部表示機器は、ステップ４０４で、画像形成装置側での操作に連動して、取得した表示情報に従いタッチパネルに表示された副画面を更新する。
【００７５】
なお、ステップ３０６で更新不要という判定結果の場合には、ステップ３１０で主画面に係る画面データだけが取得される。また、ステップ３１２、ステップ４０２、及びステップ４０４は省略されて、画像形成装置のタッチパネルに表示された主画面だけが更新される。
【００７６】
（画像形成装置側での表示更新）
図１３に示すように、外部表示機器は、ステップ５００で、情報生成部から取得した表示情報に従いタッチパネルに主画面を表示する。同様に、外部表示機器も、ステップ６００で、情報生成部から取得した取得した表示情報に従いタッチパネルに副画面を表示する。外部表示機器は、次のステップ５０２で、パネル操作を検知する。即ち、利用者からの操作を受け付ける。
【００７７】
次のステップ５０４で、情報生成部に主画面の更新要否を判定するように要求する。次に、情報生成部は、ステップ６０２で、更新要否を判定する。「更新要否の判定」では、外部表示機器側でのパネル操作に応じて、画像形成装置のタッチパネルに表示する画面を更新する必要があるか否かを判定する。次のステップ６０４で、判定結果に応じて表示情報を生成する。
【００７８】
次に、画像形成装置は、ステップ６０６で、更新要求と共に表示情報を取得する。次のステップ６０８で、表示情報を外部表示機器に送信する。外部表示機器は、ステップ５０６で、画像形成装置から表示情報を受信した旨を通知する。通知を受け取ると、画像形成装置は、ステップ６１４で、外部表示機器側での操作に連動して、取得した表示情報に従いタッチパネルに表示された主画面を更新する。外部表示機器は、ステップ５０８で、取得した表示情報に従いタッチパネルに表示された副画面を更新する。
【００７９】
なお、ステップ６０４で更新不要という判定結果の場合には、ステップ３１０で副画面に係る画面データだけが取得される。また、ステップ６１０は省略されて、外部表示機器のタッチパネルに表示された副画面だけが更新される。
【００８０】
（表示更新時の画面遷移）
ここで、表示更新時の画面遷移について具体例を挙げて説明する。
例えば、図１４（Ａ）に示すように、画像形成装置のタッチパネルに、特定の並列階層画面を「主画面」として表示する。タブ２に対応して機能１から機能９を表示する主画面が表示される。図１４（Ｂ）に示すように、外部表示機器のタッチパネルに、上記特定の並列階層画面を「副画面」として表示する。タブ２に対応して機能（図示せず）を表示する副画面が表示される。ここで、図１４（Ｃ）に示すように、画像形成装置のタッチパネルに表示された主画面で、機能を選択する操作が行われる。この例では、タブ２に対応する機能５が選択される。
【００８１】
図１５（Ａ）に示すように、画像形成装置のタッチパネルに、主画面での操作に応じて更新された特定の並列階層画面を「主画面」として表示する。タブ２に対応する機能５が強調表示された画面が表示される。図１５（Ｂ）に示すように、外部表示機器のタッチパネルに、上記の並列階層画面の選択機能に応じた画面を「副画面」として表示する。タブ２に対応する機能５の選択肢として選択１から選択４を表示する副画面が表示される。即ち、図１４（Ｃ）に示す主画面での操作に連動して、副画面の表示が更新されている。ここで、図１５（Ｃ）に示すように、外部表示機器のタッチパネルに表示された副画面で、機能を選択する操作が行われる。この例では、機能５の選択肢から選択３が選択される。
【００８２】
図１６（Ａ）に示すように、画像形成装置のタッチパネルに、副画面での操作に応じて更新された特定の並列階層画面を「主画面」として表示する。タブ２に対応する機能５及び選択３が強調表示された画面が表示される。図１６（Ｂ）に示すように、外部表示機器のタッチパネルに、上記特定の並列階層画面を「副画面」として表示する。タブ２に対応して機能等（図示せず）を表示する副画面が表示される。即ち、図１５（Ｃ）に示す副画面での操作に連動して、主画面の表示が更新されている。
【００８３】
＜変形例＞
なお、上記各実施の形態で説明した画像形成装置、画像形成システム及びプログラムの構成は一例であり、本発明の主旨を逸脱しない範囲内においてその構成を変更してもよいことは言うまでもない。
【００８４】
例えば、主画面と副画面との関係は、同一画面、並列階層、上位階層、下位階層、選択肢表示、独立等、任意に設定してもよい。ここで「独立」とは、並列、上位、下位等の関係にないことを意味する。以下に、主画面と副画面の一例を挙げる。図１７（Ａ）及び（Ｂ）、図１８（Ａ）及び（Ｂ）、図１９（Ａ）及び（Ｂ）、及び図２０（Ａ）から（Ｃ）の各々は、表示画面の変形例を示す模式図である。
【００８５】
図１７（Ａ）に示すように、画像形成装置のタッチパネルには、特定の並列階層画面を「主画面」として表示する。タブ１に対応して機能１から機能５を表示する主画面が表示される。図１７（Ｂ）に示すように、外部表示機器のタッチパネルには、サービス選択画面を「副画面」として独立に表示する。
【００８６】
図１８（Ａ）に示すように、画像形成装置のタッチパネルには、特定の並列階層画面を「主画面」として表示する。タブ１に対応して機能１から機能５を表示する主画面が表示される。図１８（Ｂ）に示すように、外部表示機器のタッチパネルには、サービス処理一覧画面を「副画面」として独立に表示する。
【００８７】
図１９（Ａ）に示すように、画像形成装置のタッチパネルには、特定の並列階層画面を「主画面」として表示する。タブ１に対応して機能１から機能５を表示する主画面が表示される。図１９（Ｂ）に示すように、外部表示機器のタッチパネルには、サービス処理が実行中である旨を示す画面を「副画面」として独立に表示する。
【００８８】
図２０（Ａ）に示すように、画像形成装置のタッチパネルには、特定の並列階層画面を「主画面」として表示する。タブ１に対応してメッセージ欄と共に機能１から機能４を表示する主画面が表示される。メッセージ欄には、ファクス等の送信先一覧が外部表示機器で確認できる旨が表示される。図２０（Ｂ）に示すように、外部表示機器のタッチパネルには、送信先一覧を示す画面を「副画面」として独立に表示する。なお、図２０（Ｃ）に示すように、副画面を表示しない場合には、画像形成装置のタッチパネルには、送信先一覧を含む特定の並列階層画面が表示される。
【００８９】
また、上記の実施の形態では、「情報生成部」を画像形成装置の表示制御部において「情報生成処理」を実行する機能部として説明したが、「情報生成部」は外部表示機器が有していてもよく、画像形成装置及び外部表示機器の両方が有していてもよい。或いは、画像形成装置の外部に配置された端末装置が「情報生成部」を有してもよい。これ等の場合、画像形成装置用の画面データ、外部表示機器用の画面データ、及び組合せテーブルは「情報生成部」と共に配置されてもよい。
【００９０】
また、上記の実施の形態では、画面データを取得して表示情報を生成する例について説明したが、画面データの生成を動的に行ってもよい。例えば、画面データの生成条件（部分画像、レイアウト等）をテーブル等で記憶しておいて、画面データを動的に生成してもよい。
【符号の説明】
【００９１】
１０ 画像形成装置
１２ 制御部
１４ 操作表示部
１６ 画像読取部
１８ 画像形成部
２０ 用紙搬送部
２２ 通信部
２４ 記憶部
３０ 表示制御部
４０ 操作パネル
４２ 表示生成部
４４ 入力受付部
４６ 記憶部
４８ バス
５０ 画像形成装置用の画面データ
５２ 外部表示装置用の画面データ
５４ 組合せテーブル
５６ 制御用データ
６０ タッチパネル
７０ ボタン群
１００ 外部表示機器
１１０ 制御部
１２０ 通信部
１３０ 姿勢検知部
１４０ 操作パネル
１４２ 表示生成部
１４４ 入力受付部
１４６ ボタン
１４６ 記憶部
１４８ タッチパネル
１５０ 記憶部
１５２ 画面データ
１５４ 制御用データ
１６０ バス
【図３】
2016221977.tif 000003
【図７】
2016221977.tif 000004
【図１２】
2016221977.tif 000005
【図１３】
2016221977.tif 000006
【図１】
2016221977.tif 000007
【図２】
2016221977.tif 000008
【図４】
2016221977.tif 000009
【図５】
2016221977.tif 000010
【図６】
2016221977.tif 000011
【図８】
2016221977.tif 000012
【図９】
2016221977.tif 000013
【図１０】
2016221977.tif 000014
【図１１】
2016221977.tif 000015
【図１４】
2016221977.tif 000016
【図１５】
2016221977.tif 000017
【図１６】
2016221977.tif 000018
【図１７】
2016221977.tif 000019
【図１８】
2016221977.tif 000020
【図１９】
2016221977.tif 000021
【図２０】
2016221977.tif 000022